(57)【特許請求の範囲】
【請求項１】
収納棚内収納物の飛出しを防止する飛出し防止帯状体であって、当該飛出し防止帯状体は、その両端部には伸縮性のない端部が形成され、当該伸縮性のない端部には係止部材を備え、前記伸縮性のない端部以外は、伸縮自在な弾性を有した帯状体、及び係止部材と係止する取付け部材からなる飛出し防止帯状体。
【請求項２】
前記飛出し防止帯状体には、伸縮性のない端部に加えて少なくとも一方の端部から所定距離だけ離間させて伸縮性のない部分を形成し、該伸縮性のない部分にも、前記飛出し防止帯状体を係止するための係止部材を備えたことを特徴とする請求項１記載の収納棚内の収納物の飛出しを防止する飛出し防止帯状体。
【請求項３】
前記伸縮性のない端部又は部分は、前記弾性を有した帯状体に対して伸縮性のない伸縮防止部材を着止させることにより形成したことを特徴とする請求項１又は２記載の収納棚内の収納物の飛出しを防止する飛出し防止帯状体。
【請求項４】
前記飛出し防止帯状体は複数本から成り、各複数本の該飛出し防止帯状体は、ジョイント用部材によって繋げて成ることを特徴とした請求項１乃至３の内の一つの請求項記載の収納棚内の収納物の飛出しを防止する飛出し防止帯状体。
【請求項５】
前記係止部材は面ファスナーから成ることを特徴とした請求項１乃至４の内の一つの請求項記載の収納棚内の収納物の飛出しを防止する飛出し防止帯状体。
【請求項６】
収納棚内収納物の飛出しを防止する飛出し防止帯状体を用いた飛出し防止方法であって、当該飛出し防止帯状体は、その両端部には伸縮性のない端部が形成され、当該伸縮性のない端部には、前記飛出し防止帯状体を係止するための係止部材を備え、前記伸縮性のない端部以外は、伸縮自在な弾性を有した帯状体から構成されており、前記収納棚の適宜箇所には取付け部材を設け、該取付け部材に前記係止部材を係止することにより前記飛出し防止帯状体を前記収納棚に取り付けたことを特徴とする飛出し防止帯状体を用いた収納棚内収納物の飛出し防止方法。
【請求項７】
収納棚内収納物の飛出しを防止する飛出し防止帯状体を用いた飛出し防止方法であって、当該飛出し防止帯状体は、その両端部には伸縮性のない端部が形成され、当該伸縮性のない端部には、前記飛出し防止帯状体を係止するための係止部材を備え、前記伸縮性のない端部以外は、伸縮自在な弾性を有した帯状体から構成されており、前記収納棚近傍の壁面の適宜箇所には取付け部材を設け、該取付け部材に前記係止部材を係止することにより前記飛出し防止帯状体を前記収納棚に取り付けたことを特徴とする飛出し防止帯状体を用いた収納棚内収納物の飛出し防止方法。
【請求項８】
収納棚内収納物の飛出しを防止する飛出し防止帯状体を用いた飛出し防止方法であって、当該飛出し防止帯状体は、その両端部には伸縮性のない端部が形成され、かつ該両端部から所定距離だけ離間させた箇所にも伸縮性のない部分を形成し、伸縮性のない両端部及び両端部から所定距離だけ離間させた伸縮性のない部分には、それぞれ前記飛出し防止帯状体を係止するための係止部材を備え、前記伸縮性のない両端部及び両端部から所定距離だけ離間させた伸縮性のない部分以外は、伸縮自在な弾性を有した帯状体から構成されており、前記収納棚の一部分を取り巻くようにして、前記端部に設けた係止部材と前記所定距離だけ離間した箇所に設けた係止部材を係止して前記飛出し防止帯状体を前記収納棚に取り付けたことを特徴とする飛出し防止帯状体を用いた収納棚内の収納物の飛出し防止方法。
【発明の詳細な説明】
【技術分野】
【０００１】
本発明は、収納棚内の収納物の飛出しを防止する飛出し防止帯状体及びその飛出し防止帯状体を用いた飛出し防止方法に関するものである。
【０００２】
本発明に用いる各用語の定義は、原則として一般的な技術用語の解釈に従うが、以下の解釈を優先するものとする。
（１）「収納棚」とは、物品を収納するための収納手段一般を意味するものであるが、保管や陳列のために用いる手段を含む。
（２）収納物の「飛出し」とは、「飛び出し」や「はみ出し」を含む他、落下等を含むことはいうまでもない。また「防止」との用語は１００％の阻止を意味するものではない。
（３）「帯状体」とは、長手方向に伸びる帯状の部材を意味するものであるが、長手状に全体または一部が伸びていれば、パイプ状、紐状、面ファスナーでも適応可能であることはいうまでもない。
（４）本発明は、伸縮性の有る飛出し防止帯状体で説明したが、伸縮の少ない飛出し防止帯状体も適応可能であることはいうまでもない。
（５）「伸縮性のない」とは、それが「伸びゼロ」を意味するものではなく、飛出し防止帯状体の伸びが減少する伸縮防止部材でも適応可能であることはいうまでもない。
（６）「所定」とは、任意の位置・数量を示すものであり、それが「一定」であることを意味するものではない。
（７）「ジョイント用部材」とは、飛出し防止帯状体と飛出し防止帯状体を繋ぎ合わせる部材を意味するものであるが、飛出し防止帯状体の係止部材でも適用可能であることはいうまでもない。
（８）本発明において「面ファスナー」との用語は、面と面との係合によって一時的に結合する機能を備えた要素を意味する。従って、いわゆる「ステムファスナー」「マグネット又は磁性体を含有する物」「粘着性テープ」「粘着性フィルム」による接合を含め、それら以外の方法で面と面が結合する機能を備えたものを含むものである。
（９）本発明において、「溝」との用語は、直線またはその他の線で任意の幅と深さの溝を含め、溝以外の窪みを含むものである。
（１０）本発明において、「色彩」及び「文字」との用語は、日本語の文字を含め、それら以外の文字、数字、記号、模様、図案を含むことは言うまでもない。
【背景技術】
【０００３】
この種の落下防止具としては、支柱に取付けるものまたは、金属棚や木製の棚に取り付けるものなどが提案されている。
例えば金属棚では、開放面の支柱にバインダグリップ、煽り留め、ナイロン製高張力糸を取り付け、さらにその他の支柱間にもナイロン製高張力糸を掛け回して取り付け、ゲージの落下を防止する手段が特開２０００―４１５１６公報に開示されている。
また、伸縮性のある紐とその両端に有する引っ掛け金具を支柱の捻子穴に引っ掛けて、支柱間に取付け、地震時に飛び出す本などを防止する手段が特開平８―３０８６５６公報に開示されている。
さらに、端部保持具と長さ調整手段を備えた帯部材を支柱に掛け回して支柱間に掛け渡し、対象物の落下を規制する落下規制装置が特開２００２―２７２５５０公報に開示されている。
さらにまた、ベルトの両端部に設けられたＬ字型取付け部と伸縮可能なベルトを支柱に取付けて、落下を防止する手段が特開２００６―１５８４８５公報に開示されている。
また木製棚では、棚板の高さ調整用のだぼ孔を利用し係止金具を設け、伸縮バンドを用いた物品収納棚における落下防止構造が特開２００６―２１２２６３公報に開示されている。
さらに、収納棚内の収納物が満杯でなくても飛出しを防止できる、弾性部材を用いた収納装置の手段が特開２００２―３３６０６７公報に開示されている。
【先行技術文献】
【特許文献】
【０００４】
【特許文献１】特開２０００―４１５１６公報
【特許文献２】特開平８―３０８６５６公報
【特許文献３】特開２００２―２７２５５０公報
【特許文献４】特開２００６―１５８４８５公報
【特許文献５】特開２００６―２１２２６３公報
【特許文献６】特開２００２―３３６０６７公報
【発明の概要】
【発明が解決しようとする課題】
【０００５】
しかしながら、前記特許文献２は、支柱のある棚に取付けるもので、支柱のない棚には取付けることが出来ない不都合がある。また、前記特許文献５は、木製収納棚の穴に取付けるもので、穴のない棚には取付け出来ない不都合がある。
【０００６】
また、前記特許文献６は、取付けに手間がかかる作業を要し既存の棚に簡単に設置することが出来ないため、予め設置しなければならない不都合があり、また、棚によって取付け方が違うのでコストが高くなる別異の問題が招来する。
【０００７】
前記特許文献５，６は、設置前に予め長さを設定して取付けるために、設置後は長さの調整ができない不都合がある。
【０００８】
前記特許文献３，４，は、長さが一定の範囲でのみ調整が可能であるが、制限が有るために一定の長さの範囲を超えた棚には設置できない不都合がある。さらに、前記特許文献３，４，は、落下規制装置、落下防止具の設置後は大きな収納物の出し入れがしづらい不都合がある。
【０００９】
前記特許文献１，２，３，４，５，６は、仕切板または棚板に取り付けできない不都合がある。
【００１０】
前記特許文献１，２，３，４，５，６は、壁面に取付けできない不都合がある。
【００１１】
前記特許文献１，２，４，５，６は、多種多様なサイズの既存の棚に対応して、支柱に掛け回して取付けできない不都合がある。
【００１２】
飛出し防止具用帯状体１は、地震などで強い張力が付加した時に係止部材２にも強い張力が掛かる不都合がある。
【００１３】
多数の棚がある場合、棚及び収納物の区分や名称が分からなくなる不都合がある。
【００１４】
本発明は、以上の問題点に鑑みてなされたものであって、構造が簡素で、製造コストが低廉であって、長短の長さ調整が容易にでき、金属製棚・木製棚その他多様な棚などのほか、棚板、仕切板、支柱、壁面への取付けが可能であり、且つ、飛出し防止帯状体の着脱が自在で、収納棚内収納物の出し入れが簡便にでき、既存の多種多様な棚に臨機応変に対応して、地震などでも収納棚内収納物の飛出しを防止できて、収納物の区分ができる飛出し防止帯状体及び飛出し防止方法を提供することを目的としている。
【課題を解決するための手段】
【００１５】
前記課題を解決するための手段を、図の実施の形態を参照して説明する。すなわち、図８では本発明の収納棚内収納物の飛出し防止帯状体１は、収納棚内の収納物の飛出しを防止する飛出し防止帯状体１を用いた収納棚内収納物の飛出し防止帯状体１であって、その両端部には係止部材２が伸縮防止部材３を介して当該飛出し防止帯状体１に取付けられており、伸縮性のない前記以外は弾性を有した帯状体から成り、前記飛出し防止帯状体１は、前記係止部材２を用いて収納棚６に掛けたことを特徴とするものである。

【００１６】
前記課題を解決するための手段を、図の実施の形態を参照して説明する。すなわち、図８では本願発明１の収納棚内収納物の飛出し防止帯状体１は、収納棚内の収納物の飛出しを防止する飛出し防止帯状体１を用いた収納棚内収納物の飛出し防止帯状体１であって、飛出し防止帯状１は、弾性を有した帯状体から成り、その両端部には係止部材２が伸縮防止部材３を介して当該飛出し防止帯状体１に取付けられており、前記収納棚６には、取付け部材４が取付けられており、飛出し防止帯状体１を、前記係止部材２を前記収納棚６の取付け部材４に係止したことを特徴とするものである。
【００１７】
前記取付け部材４は、前記収納棚６または仕切版の適宜適所に取付けられていることを特徴とするものであってもよい。
【００１８】
前記取付け部材４を、壁面９の適宜箇所に取付けられることを特徴とするものであってもよい。（図９を参照）
【００１９】
係止部材２は、前記飛出し防止帯状体１の両端部の前記係止部材２から所定距離はなした位置に取付けられたことを特徴とするものであってもよい。（図１０を参照）

【００２０】
前記飛出し防止帯状体１が複数本から成り、各複数本の該飛出し防止帯状体１は、ジョイント用部材５によって連結して成ることを特徴とするものであってもよい。（図５、図６を参照）
【００２１】
前記係止部材２及び前記取付け部材４は面ファスナーから成ることを特徴とするものであってもよい。
【００２２】
前記収納棚内収納物の飛出し防止帯状体１が、前記飛出し防止帯状体１に少なくとも一つの溝を設けたことを特徴とするものであっても良い。（図１２を参照）
【００２３】
前記収納棚内収納物の飛出し防止帯状体１は、色彩及び文字を具有及び表示していることを特徴とするものであってもよい。（図１３を参照）
【発明の効果】
【００２４】
本発明の収納棚内収納物の飛出し防止帯状体１によれば、収納棚内の収納物の飛出しを防止する収納棚内収納物の飛出し防止帯状体１であって、飛出し防止帯状体１は、その両端部には係止部材２が伸縮防止部材３を介して当該飛出し防止帯状体１に取り付けられており、伸縮性のない前記両端部以外は弾性を有した帯状体から成り、前記飛出し防止帯状体１は、前記係止部材２を用いて収納棚６に掛けているので、支柱のない棚やダボ孔、捻子穴のない棚に、前記飛出し防止帯状体１を前記伸縮防止部材３を介して取付け、伸縮による着止強度低下を回避し簡便に取付けることが出来る効果がある。

【００２５】
前記飛出し防止帯状体１の両端部に取付けられた前記係止部材２は、それぞれ取付け部材４に対して係合されるものであり、前記係止部材２と前記取付け部材４とを係合することによって、前記飛出し防止帯状体１を前記収納棚６に掛けるようにしたものでは、多種多様な棚などに同じ取付け方法で簡単に取付けすることができるため製造コストが低廉で、さらに、図１０は、前記飛出し防止帯状体１が、伸縮性のない前記両端部と該両端部と係合している係止部材２以外は弾性を有しているので一定の張力に保持でき、前面の取り出し側だけでなく棚の内部に取付けても収納棚内収納物の取り出しもでき、且つ、収納棚内収納物が満杯で無い場合でも飛出しを有効的に防止する効果がある。（図８、図９を参照）

【００２６】
本発明の収納棚内収納物の飛出し防止帯状体１によれば、その両端部には係止部材２が伸縮防止部材３を介して取付けられ、前記両端部それぞれ取付け部材４に対して係合して取付け、伸縮性のない前記両端部以外は弾性を有した帯状体から成っている。この構成により、該飛出し防止帯状体１の長さは、ジョイント用部材５を用いて調整することで多種多様な棚に設置できるので、予め長さを設定して取付けなくても、多種多様な既存の棚に臨機応変に取付けることができる効果がある。（図５、図６を参照）

【００２７】
飛出し防止帯状体１は、切断して短く調整することも連結してジョイント用部材５を用いて長く調整することも出来るので、既存の多種多様な棚に取付けることができる。また、前記係止部材２と前記取付け部材４が着脱自在のため、収納棚内収納物の大きさや数量に係らず出し入れが簡便にできる効果がある。
【００２８】
前記取付け部材４は、既存の金属製棚及び木製棚または仕切版、棚板８に取付けできるため、収納棚内収納物の飛出し防止帯状体１は、多種多様な既存の棚に臨機応変に取付けできる効果がある。（図１１を参照）

【００２９】
前記取付け部材４は、壁面９に取付けできるため、収納内収納物の飛出し防止帯状体１は、多種多様な既存の棚及び壁面９に臨機応変に取付けできる効果がある。（図９を参照）

【００３０】
前記係止部材２と伸縮防止部材３は、前記飛出し防止帯状体１の前記両端部の係止部材２から所定距離離した位置に取付けることができるため、支柱のある多種多様なサイズの既存の棚に対応して、支柱に掛け回して取付けできる効果がある。（図１０を参照）

【００３１】
前記飛出し防止帯状体１は複数本から成り、各複数本の該飛出し防止帯状体１は、ジョイント用部材５によって何本でも連結できるので、長さや大きさの異なる既存の多種多様な既存の棚に臨機応変に取付けできる効果がある。（図５、図６を参照）

【００３２】
前記係止部材２及び前記取付け部材４は面ファスナーから成り、着脱が自在で既存の金属製棚及び木製棚の両方に使用することができるため、多種多様な既存の棚に対応して取付けできる効果がある。（図１、図２を参照）
【００３３】
前記飛出し防止帯状体１に、少なくとも一つの溝を設けたことにより前記飛出し防止帯状体１は、地震などで強い張力が付加した時に係止部材２と取付け部材４に強い張力が掛かるのを避け、該係止部材２と該取付け部材４の着止強度低下を回避させる効果がある。（図１２を参照）
【００３４】
前記収納棚内収納物の飛出し防止帯状体１は、色彩及び文字を具有及び表示することにより、棚及び収納物の区分や名称を見分けることができ、また広告やノベルティグッズとして活用することもできる効果がある。（図１３を参照）
【発明を実施するための形態】
【００３５】
以下、本発明の一実施形態にかかる飛出し防止帯状体と飛出し防止方法を図面に基づいて説明する。
【図面の簡単な説明】
【００３６】
【図１】図1は、本発明の一実施例の概略的斜視図である。
【図２】図２は、本発明の一実施形態に係る飛出し防止帯状体１の平面図である。
【図３】図３は、本発明の一実施形態に係る飛出し防止帯状体１の正面図である。
【図４】図４は、図３とは異なる他の実施例を示す飛出し防止帯状体１の正面図である。
【図５】図５は、ジョイント部材の実施例を示す飛出し防止帯状体１の正面図である。
【図６】図６は、図５とは異なるジョイント部材の実施例を示す飛出し防止帯状体１の正面図である。
【図７】図７は、図５、図６とは異なる他の実施例を示す飛出し防止帯状体１の正面図である。
【図８】図８は、本発明の一実施例の概略的斜視図である。
【図９】図９は、図８とは異なる他の実施例を示す概略的斜視図である。
【図１０】図１０は、図８、図９とは異なる他の実施例を示す概略的斜視図である。
【図１１】図１１は、図８、図９、図１０とは異なる他の実施例を示す概略的斜視図である。
【図１２】図１２は、本発明の一実施形態に係る飛出し防止帯状体１の平面図である。
【図１３】図１３は、図１２とは異なる他の本発明の一実施形態に係る飛出し防止帯状体１の平面図である。
【符号の説明】
【００３７】
１.  飛出し防止帯状体
２.  係止部材
３.  伸縮防止部材
４.  取付け部材
５.  ジョイント部材
６.  収納棚

８.  棚板
９.  壁
１０.溝
【図１】
0006273663.tif 000002
【図２】
0006273663.tif 000003
【図３】
0006273663.tif 000004
【図４】
0006273663.tif 000005
【図５】
0006273663.tif 000006
【図６】
0006273663.tif 000007
【図７】
0006273663.tif 000008
【図８】
0006273663.tif 000009
【図９】
0006273663.tif 000010
【図１０】
0006273663.tif 000011
【図１１】
0006273663.tif 000012
【図１２】
0006273663.tif 000013
【図１３】
0006273663.tif 000014